(57)【要約】【課題】  トイレットペーパ２０を三角板３６の後方から前方へ通過させ、天井側突起部材３１により先端ペーパ部分５５を垂れさせて、垂れペーパ部５７を形成し、トイレットペーパ取出し口６０に通すことにより垂れペーパ部５７を三角ペーパ部５６の下面側に折畳んで、三角折り部５８をトイレットペーパ取出し口６０から出すトイレットペーパホルダ１０において、次の三角折り部５８を支障なく作る。【解決手段】  ローラ３９は回転方向の変更により先端ペーパ部分５５を後退及び前進させる。ノブ２７はユーザ操作により前端位置と後端位置との間で後退、前進する。ノブ２７の後退時では、ピニオン８３が、ラック７０により駆動されて、ローラ３９を大きな減速比で先端ペーパ部分５５の後退方向へ回転させる。ノブ２７の前進時では、ピニオン８２が、ラック６９により駆動されて、ローラ３９を小さな減速比で先端ペーパ部分５５の前進方向へ回転させる。【選択図】      図７
2006006786.tif 000002
【特許請求の範囲】
【請求項１】
トイレットペーパのロール部を回転自在に保持するホルダ本体、
前方へ頂点を向けて突出する三角面部を上面にもち前記ロール部から繰り出されたトイレットペーパが前記三角面部を後方から前方へ通過するようになっている三角面部付き部材、
トイレットペーパに摩擦接触して第１及び第２の運動方向への運動の切替により前記三角面部上のトイレットペーパを前進及び後退させるペーパ駆動部材、
前記三角面部の側縁からはみ出ている先端ペーパ部分の部位に対しその上面側から当接して下方へ押し下げることにより該部位を前記三角面部から垂れさせ、前記トイレットペーパの前記先端ペーパ部分に、ほぼ水平な三角ペーパ部と、前記三角ペーパ部の両側において垂れる垂れペーパ部とを形成する押し下げ部材、
先端ペーパ部分の露出箇所として前記押し下げ部材の前方に位置する、左右方向へ長いスリット状の出口、
前記出口の下辺を画定し前進して来る前記垂れペーパ部が当接することにより前記垂れペーパ部が前記三角ペーパ部の下面側に折り畳まれる下辺画定部材、
前記出口に設けられてトイレットペーパの切断に利用される切断部材、
駆動力に従い相互に反対の第１及び第２の直線方向へ直線移動自在になっている直線移動部材、
前記第１の直線方向への前記直線移動部材の直線移動を第１の運動方向の運動へ変換して前記ペーパ駆動部材へ伝達する第１の運動伝達機構、及び
前記第２の直線方向への前記直線移動部材の直線移動を第２の運動方向の運動へ変換して前記ペーパ駆動部材へ伝達する第２の運動伝達機構、
を有し、
前記第１及び前記第２の運動伝達機構は、第１の直線方向への直線移動部材のストロークに対する前記第１の運動伝達機構によるトイレットペーパの前進量が第２の直線方向への直線移動部材のストロークに対する前記第２の運動伝達機構によるトイレットペーパの後退量よりも大となるように、前記直線移動部材から前記ペーパ駆動部材への変位量の伝達比を設定され、
第２の運動伝達機構によるトイレットペーパの後退量は、トイレットペーパの次の前進の際に前記押し下げ部材により先端ペーパ部分に三角ペーパ部と垂れペーパ部とが形成され得るものとなっていることを特徴とするトイレットペーパホルダ。
【請求項２】
前記ペーパ駆動部材は、トイレットペーパに摩擦接触しつつ回転運動するローラであり、
前記ペーパ駆動部材の第１及び第２の運動方向は前記ローラの第１及び第２の回転方向に対応していることを特徴とする請求項１記載のトイレットペーパホルダ。
【請求項３】
前記第１の運動伝達機構は、前記直線移動部材と一体的に直線運動する第１のラックと、前記第１のラックにかみ合い前記第１のラックの直線運動を回転運動へ変換する第１のピニオンと、該第１のピニオンと前記ローラとの間の動力伝達経路に介在し前記ローラを第１の回転方向へ回転させる回転のみを前記第１のピニオンから前記ローラへ伝達する第１の一方向クラッチとを有し、
前記第２の運動伝達機構は、前記直線移動部材と一体的に直線運動する第２のラックと、前記第２のラックにかみ合い前記第２のラックの直線運動を回転運動へ変換する第２のピニオンと、該第２のピニオンと前記ローラとの間の動力伝達経路に介在し前記ローラを第２の回転方向へ回転させる回転のみを前記第２のピニオンから前記ローラへ伝達する第２の一方向クラッチとを有していることを特徴とする請求項２記載のトイレットペーパホルダ。
【請求項４】
前記第１のピニオンは、第１の直線方向への前記第１のラックの運動時に前記第１のラックに連行されて前記第１のラックの歯内へ歯を沈み込ませて前記第１のラックからの動力伝達可能状態になり、第２の直線方向への前記第１のラックの運動時に前記第１のラックに連行されて前記第１のラックの歯から歯を浮かせて前記第１のラックからの動力伝達が不能状態になるように、回転可能に支持され、
前記第２のピニオンは、第２の直線方向への前記第２のラックの運動時に前記第２のラックに連行されて前記第２のラックの歯内へ歯を沈み込ませて前記第２のラックからの動力伝達可能状態になり、第１の直線方向への前記第２のラックの運動時に前記第２のラックに連行されて前記第２のラックの歯から歯を浮かせて前記第２のラックからの動力伝達が不能状態になるように、回転可能に支持されていることを特徴とする請求項３記載のトイレットペーパホルダ。
【請求項５】
前記直線移動部材は、その直線移動方向へ延びる駆動用ラックをもち、
前記第１及び第２の運動伝達機構は、前記駆動用ラックにより回転駆動される共通のピニオンを介して動力を入力され、
前記第１の運動伝達機構は、ベルトを介して動力を伝達するとともに前記第１の運動伝達機構における変速比を径比により決める複数のプーリと、前記共通のピニオンから前記ローラへ、前記ローラが第１の回転方向へ回転する回転動力のみを伝達する一方向クラッチとを有し、
前記第２の運動伝達機構は、ベルトを介して動力を伝達するとともに前記第２の運動伝達機構における変速比を径比により決める複数のプーリと、前記共通のピニオンから前記ローラへ、前記ローラが第２の回転方向へ回転する回転動力のみを伝達する一方向クラッチとを有していることを特徴とする請求項２記載のトイレットペーパホルダ。
【請求項６】
ユーザにより把持されて前記直線移動部材と一体的に第１及び第２の直線方向へ移動する直線移動式操作部材、
を有していることを特徴とする請求項１〜５のいずれかに記載のトイレットペーパホルダ。
【請求項７】
回転に伴い前記直線移動部材を第１及び第２の直線方向へ往復動させるカム、
を有していることを特徴とする請求項１〜５のいずれかに記載のトイレットペーパホルダ。
【請求項８】
前記直線移動部材に設けられて前記直線移動部材の移動方向へ延びる被駆動用ラック、
周部が、前記被駆動用ラックにかみ合って前記直線移動部材を第２の直線方向へ直線移動させる歯付き区分と、歯が無く前記被駆動用ラックとのかみ合い解除される歯無し区分とから成り、回転駆動される駆動用ピニオン、及び
前記直線移動部材を第１の直線方向へ付勢する付勢手段、
を有していることを特徴とする請求項１〜５のいずれかに記載のトイレットペーパホルダ。
【請求項９】
ユーザにより把持されて前記カム又は前記駆動用ピニオンを回転駆動する回転式操作ハンドル、
を有していることを特徴とする請求項７又は８記載のトイレットペーパホルダ。
【請求項１０】
給電時では前記カム又は前記駆動用ピニオンを回転駆動するモータ、及び
ユーザにより操作されて前記モータへの給電を実施するスイッチ、
を有していることを特徴とする請求項７又は８記載のトイレットペーパホルダ。
【発明の詳細な説明】
【技術分野】
【０００１】
本発明は、トイレットペーパの先端部を三角折りするトイレットペーパホルダに関するものである。
【背景技術】
【０００２】
特許文献１，２は、トイレットペーパホルダにおいて、三角板を利用して、トイレットペーパの先端ペーパ部分に三角ペーパ部と垂れペーパ部とを形成してから、三角ペーパ部の高さを維持しつつ、先端ペーパ部分を前進させて、垂れペーパ部を所定の当接版に当接させて、三角ペーパ部の下側に折り畳み、三角折りした先端ペーパ部分を出口へ供給することを開示する。
【特許文献１】実用新案登録第３０４１３５２号公報
【特許文献２】特開２０００−２１０２２６公報
【発明の開示】
【発明が解決しようとする課題】
【０００３】
特許文献１のトイレットペーパホルダでは、三角板が先端ペーパ部分を前方へ連行するようになっており、かつ三角板が前進に先立ち所定量、後退するようになっているので、先端ペーパ部分自体を後退させる必要はない。これに対して、特許文献２のトイレットペーパホルダは、三角板は静止していて、トイレットペーパホルダの構造が簡単となるものの、出口において先端を切断された先端ペーパ部分を、その状態から前進させても、先端ペーパ部分に三角折りを形成できないので、工夫が必要になる。
【０００４】
本発明の目的は、三角面部付き部材が静止しているトイレットペーパホルダにおいて、次のユーザ操作時に三角折りした先端ペーパ部分を支障なく供給できるトイレットペーパホルダを提供することである。
【課題を解決するための手段】
【０００５】
本発明のトイレットペーパホルダは次のものを有している。
トイレットペーパのロール部を回転自在に保持するホルダ本体、
前方へ頂点を向けて突出する三角面部を上面にもちロール部から繰り出されたトイレットペーパが三角面部を後方から前方へ通過するようになっている三角面部付き部材、
トイレットペーパに摩擦接触して第１及び第２の運動方向への運動の切替により三角面部上のトイレットペーパを前進及び後退させるペーパ駆動部材、
三角面部の側縁からはみ出ている先端ペーパ部分の部位に対しその上面側から当接して下方へ押し下げることにより該部位を三角面部から垂れさせ、トイレットペーパの先端ペーパ部分に、ほぼ水平な三角ペーパ部と、三角ペーパ部の両側において垂れる垂れペーパ部とを形成する押し下げ部材、
先端ペーパ部分の露出箇所として押し下げ部材の前方に位置する、左右方向へ長いスリット状の出口、
出口の下辺を画定し前進して来る垂れペーパ部が当接することにより垂れペーパ部が三角ペーパ部の下面側に折り畳まれる下辺画定部材、
出口に設けられてトイレットペーパの切断に利用される切断部材、
駆動力に従い相互に反対の第１及び第２の直線方向へ直線移動自在になっている直線移動部材、
第１の直線方向への直線移動部材の直線移動を第１の運動方向の運動へ変換してペーパ駆動部材へ伝達する第１の運動伝達機構、及び
第２の直線方向への直線移動部材の直線移動を第２の運動方向の運動へ変換してペーパ駆動部材へ伝達する第２の運動伝達機構。
そして、第１及び第２の運動伝達機構は、第１の直線方向への直線移動部材のストロークに対する第１の運動伝達機構によるトイレットペーパの前進量が第２の直線方向への直線移動部材のストロークに対する第２の運動伝達機構によるトイレットペーパの後退量よりも大となるように、直線移動部材からペーパ駆動部材への変位量の伝達比を設定されている。また、第２の運動伝達機構によるトイレットペーパの後退量は、トイレットペーパの次の前進の際に押し下げ部材により先端ペーパ部分に三角ペーパ部と垂れペーパ部とが形成され得るものとなっている。
【０００６】
上記の用語と図示の符号付き要素との対応関係は次のとおりである。トイレットペーパ：トイレットペーパ２０、ロール部：ロール部２１、ホルダ本体：ホルダ本体１１、三角面部の頂点：頂点４２、三角面部付き部材：三角板３６、ペーパ駆動部材：ローラ３９、三角面部の側縁：側縁４３、三角ペーパ部：三角ペーパ部５６、垂れペーパ部：垂れペーパ部５７、押し下げ部材：天井側突起部材３１及び側板側押し下げ突起４５、出口：トイレットペーパ取出し口６０、下辺画定部材：水平板部材５０、切断部材：鋸刃部５１、直線移動部材：ラック部材６６又はラック部材１２２、第１の運動伝達機構：（ピニオン８２及びギヤ７４）又は（駆動側プーリ１１３、ベルト１１８及び被駆動側プーリ１０８）、第２の運動伝達機構：（ピニオン８３及びギヤ７５）又は（駆動側プーリ１１２、ベルト１１７及び被駆動側プーリ１０７）。
【０００７】
第１及び第２の直線方向とは例えばトイレットペーパホルダの水平前方向及び水平後ろ方向である。第１及び第２の直線方向への直線移動部材のストローク量は相互に等しい。第１の直線方向への直線移動部材のストロークに対する第１の運動伝達機構によるローラにおけるトイレットペーパの前進量、及び第２の直線方向への直線移動部材のストロークに対する第２の運動伝達機構によるローラにおけるトイレットペーパの後退量は、例えば、それぞれ第１及び第２の運動伝達機構に含まれているギヤ及びプーリの歯数比及びプーリの径比により設定できる。押し下げ部材は、例えば、天井カバーの下面側に設けられてもよいし、ホルダ本体の左右の側部の内面側に設けられてもよい。
【０００８】
トイレットペーパの先端は、ユーザによる切断部材におけるトイレットペーパの最後の切断のために、通常、切断部材の位置にある。ペーパ駆動部材は、第２の運動伝達機構からの動力によりトイレットペーパを所定量、後退させる。トイレットペーパの先端が下辺画定部材より後方へ抜け出るや、三角面面部からの先端ペーパ部分のはみ出し部位は、下辺画定部材より下方へ垂れ自在になる。本発明は、押し下げ部材が、先端ペーパ部分の後退時において、三角面部の側縁からはみ出している先端ペーパ部分の部位の上面に当接して、先端ペーパ部分に垂れ部分を形成することを除外しない。
【０００９】
次に、ペーパ駆動部材は、第１の運動伝達機構からの伝達動力により先端ペーパ部分を前進させる。この前進過程では、先端ペーパ部分は、三角面部の側縁からはみ出した部位において、押し下げ部材により下方へ押しやられ、結果、先端ペーパ部分には、三角面部の上面の高さをほぼ維持する三角ペーパ部と、三角ペーパ部の両側において垂れ下がる垂れペーパ部とが形成される。先端ペーパ部分は、三角ペーパ部及び垂れペーパ部を有する状態に維持されつつ、前進し、出口へ突入する。その突入の際、三角ペーパ部は出口をそのまま通過するが、垂れペーパ部は下辺画定部材の後端との当接により三角ペーパ部の下面側へ折り畳まれる。こうして、三角折りした先端ペーパ部分が出口から前方へ露出する。
【００１０】
第１及び第２の運動伝達機構は、第１の直線方向への直線移動部材のストロークに対する第１の運動伝達機構によるトイレットペーパの前進量が第２の直線方向への直線移動部材のストロークに対する第２の運動伝達機構によるトイレットペーパの後退量よりも大となるように変位量の伝達比を設定される結果、第１及び第２の直線方向の先端ペーパ部分の先端は後退ストローク開始時では切断部の箇所にあるが、先端ペーパ部分の前進ストローク終了時では、三角折り部の先端は出口から適当に前方へ突出した位置となる。ユーザは、三角折り部を摘まんで、トイレットペーパを引き出して、適当な長さだけ引き出したら、切断部材により切断する。切断部材によるトイレットペーパの切断は、典型的は、トイレットペーパの幅方向へ直線となる切断である。
【００１１】
その他の態様の本発明を説明する。本発明は、以下の種々の態様を任意の組み合わせて適宜、付加される。
【００１２】
ペーパ駆動部材は、トイレットペーパに摩擦接触しつつ回転運動するローラであり、ペーパ駆動部材の第１及び第２の運動方向はローラの第１及び第２の回転方向に対応している。ペーパ駆動部材は、ベルトコンベヤのような周回運動する無端帯状部材であってもよい。
【００１３】
第１の運動伝達機構は、直線移動部材と一体的に直線運動する第１のラックと、第１のラックにかみ合い第１のラックの直線運動を回転運動へ変換する第１のピニオンと、該第１のピニオンとローラとの間の動力伝達経路に介在しローラを第１の回転方向へ回転させる回転のみを第１のピニオンからローラへ伝達する第１の一方向クラッチとを有している。第２の運動伝達機構は、直線移動部材と一体的に直線運動する第２のラックと、第２のラックにかみ合い第２のラックの直線運動を回転運動へ変換する第２のピニオンと、該第２のピニオンとローラとの間の動力伝達経路に介在しローラを第２の回転方向へ回転させる回転のみを第２のピニオンからローラへ伝達する第２の一方向クラッチとを有している。
【００１４】
上記の用語と図示の符号付き要素との対応関係は次のとおりである。第１のラック：ラック６９、第１のピニオン：ピニオン８２、第２のラック：ラック７０、第２のピニオン：ピニオン８３。
【００１５】
ラックからピニオンへの動力伝達は、ラックの直線運動をピニオンの回転運動へ変換することを意味する。第１及び第２の一方向クラッチの存在により、ローラは、第１の直線方向への直線移動部材の運動では、第１の動力伝達機構を介して動力を伝達されて、トイレットペーパを前進させ、また、第２の直線方向への直線移動部材の運動では、第２の動力伝達機構を介して動力を伝達されて、トイレットペーパを後退させる。
【００１６】
第１のピニオンは、第１の直線方向への第１のラックの運動時に第１のラックに連行されて第１のラックの歯内へ歯を沈み込ませて第１のラックからの動力伝達可能状態になり、第２の直線方向への第１のラックの運動時に第１のラックに連行されて第１のラックの歯から歯を浮かせて第１のラックからの動力伝達が不能状態になるように、回転可能に支持される。第２のピニオンは、第２の直線方向への第２のラックの運動時に第２のラックに連行されて第２のラックの歯内へ歯を沈み込ませて第２のラックからの動力伝達可能状態になり、第１の直線方向への第２のラックの運動時に第２のラックに連行されて第２のラックの歯から歯を浮かせて第２のラックからの動力伝達が不能状態になるように、回転可能に支持されている。
【００１７】
第１及び第２のピニオンは、第１及び第２のラックへの沈み込みにより、第１及び第２のラックの運動に対して回転することになり、また、第１及び第２のラックからの浮き上がりにより、第１及び第２のラックから動力を伝達されない状態になる。こうして、直線移動部材の第１の直線方向の運動時では、第１の動力伝達機構を介してローラへ動力が伝達され、また、直線移動部材の第２の直線方向の運動時では、第２の動力伝達機構を介してローラへ動力が伝達される。
【００１８】
直線移動部材は、その直線移動方向へ延びる駆動用ラックをもつ。第１及び第２の運動伝達機構は、駆動用ラックにより回転駆動される共通のピニオンを介して動力を入力される。第１の運動伝達機構は、ベルトを介して動力を伝達するとともに第１の運動伝達機構における変速比を径比により決める複数のプーリと、共通のピニオンからローラへ、ローラが第１の回転方向へ回転する回転動力のみを伝達する一方向クラッチとを有している。第２の運動伝達機構は、ベルトを介して動力を伝達するとともに第２の運動伝達機構における変速比を径比により決める複数のプーリと、共通のピニオンからローラへ、ローラが第２の回転方向へ回転する回転動力のみを伝達する一方向クラッチとを有している。
【００１９】
上記の用語と図示の符号付き要素との対応関係は次のとおりである。駆動用ラック：ラック１２４、第１の運動伝達機構：駆動側プーリ１１３、ベルト１１８及び被駆動側プーリ１０８、共通のピニオン：ピニオン１２５。
【００２０】
駆動用ラックから共通のピニオンへの動力伝達は、駆動用ラックの直線運動を共通のピニオンの回転運動へ変換することを意味する。第１及び第２の運動伝達機構の一方向クラッチの存在により、ローラは、第１の直線方向への直線移動部材の運動では、第１の動力伝達機構を介して動力を伝達されて、トイレットペーパを前進させ、また、第２の直線方向への直線移動部材の運動では、第２の動力伝達機構を介して動力を伝達されて、トイレットペーパを後退させる。
【００２１】
ユーザにより把持されて直線移動部材と一体的に第１及び第２の直線方向へ移動する直線移動式操作部材を有している。直線移動式操作部材は、図示の要素では、ノブ２７に対応する。
【００２２】
直線移動式操作部材を直線移動部材に直結すれば、直線移動部材の駆動機構が簡単化される。なお、直線移動部材の駆動機構は、発明の実施の形態において説明するように、人力ではなく、モータを駆動源とするように、構成されてもよい。
【００２３】
トイレットペーパホルダは、回転に伴い直線移動部材を第１及び第２の直線方向へ往復動させるカムを有している。該カムは、図示の符号付き要素では円形偏心カム及びカム１６０に対応するものである。カムは人力又はモータにより回転させられる。
【００２４】
トイレットペーパホルダは、さらに、次のものを有している。
直線移動部材に設けられて直線移動部材の移動方向へ延びる被駆動用ラック、
周部が、被駆動用ラックにかみ合って直線移動部材を第２の直線方向へ直線移動させる歯付き区分と、歯が無く被駆動用ラックとのかみ合い解除される歯無し区分とから成り、回転駆動される駆動用ピニオン、及び
直線移動部材を第１の直線方向へ付勢する付勢手段。
【００２５】
上記の用語と図示の符号付き要素との対応関係は次のとおりである。被駆動用ラック：被駆動ラック９１、駆動用ピニオン：駆動側ピニオン９９、歯付き区分：歯付き区分１０１、歯無し区分：歯無し区分１０２、付勢手段：引張ばね９３
【００２６】
駆動用ピニオンの歯付き区分が、直線移動部材の被駆動用ラックにかみ合っているときは、駆動用ピニオンの回転により、直線移動部材は第２の直線方向へ移動する。これに対して、駆動用ピニオンの歯無し区分が、直線移動部材の被駆動用ラックに臨むと、直線移動部材は、第１の直線方向への直線移動部材の移動拘束を解除され、付勢手段からの付勢力により直線移動部材は第１の直線方向へ移動する。
【００２７】
トイレットペーパホルダは、さらに、ユーザにより把持されてカム又は駆動用ピニオンを回転駆動する回転式操作ハンドルを有している。ユーザは、回転式操作ハンドルを一方向へ回転操作することにより、カム又は駆動用ピニオンが回転し、直線移動部材は、第２の直線方向へ移動した後、第１の直方向へ移動する。
【００２８】
トイレットペーパホルダは、さらに、次のものを有している。
給電時ではカム又は駆動用ピニオンを回転駆動するモータ、及び
ユーザにより操作されてモータへの給電を実施するスイッチ。
【００２９】
上記の用語と図示の符号付き要素との対応関係は次のとおりである。モータ：モータ１３６、スイッチ：押しボタンスイッチ１３５。
【発明の効果】
【００３０】
本発明によれば、切断部材の切断後に先端が切断部材の箇所に留まるトイレットペーパに対し、直線移動部材を第２及び第１の直線方向へ直線移動させることにより、支障なく、三角折り部を先端ペーパ部分に形成することができる。
【発明を実施するための最良の形態】
【００３１】
図１は天井カバー３０を開いた状態におけるトイレットペーパホルダ１０の斜視図である。ホルダ本体１１は、上方から見て断面ほぼ「コ」字状とされ、前方から見て左側の左側壁部材１２と、右側の右側壁部材１３と、左側壁部材１２及び右側壁部材１３の後端を結合している奥側の奥壁部材１４と、左側壁部材１２及び右側壁部材１３の内壁側から内方へ突出する１対の突出軸部材１５とを有している。突出軸部材１５は、水平位置から上方へは揺動自在になっており、トイレットペーパ２０をホルダ本体１１にセットする場合には、ロール部２１を、水平に保持しつつ、突出軸部材１５の下方から上方へ移動させ、その際、突出軸部材１５は水平位置より上方へほぼ垂直位置まで揺動して、突出軸部材１５の基部側におけるロール部２１の通過を許容し、ロール部２１の中心穴２２が、上方揺動した突出軸部材１５の先端位置になると、突出軸部材１５は、図示していないばねの復元力に従い、中心穴２２内に先端部を中心穴２２内に進入させる。その進入後、ロール部２１を下方へ戻すと、突出軸部材１５の水平位置でロール部２１の下降が停止し、ロール部２１は水平姿勢で突出軸部材１５に回転自在にセットされる。
【００３２】
長孔２６は、右側壁部材１３の外面側に前後方向へ水平に延びるように、形成される。ノブ２７は、右側壁部材１３の右方へ突出し、長孔２６により前後方向へ移動自在に案内される。天井カバー３０は、後端部において回転自在に左右方向両端部を左側壁部材１２及び右側壁部材１３の奥側で上側の部位に軸支され、ホルダ本体１１の上方を開閉自在にしている。１対の天井側突起部材３１は、前方（閉じ位置の天井カバー３０における前方）へつぼむ「八」字状に天井カバー３０の下面側に固定されている。図１において天井側突起部材３１における垂直断面図が小さく示されているように、天井側突起部材３１は、左右方向内側の端において天井カバー３０の下面に固定され、図１では、左右方向外側へ下方へ傾斜するように広がっている。天井側突起部材３１は、例えば、文房具のクリアランスファイル程度の厚さである。
【００３３】
三角板３６は、前端の頂点４２と、頂点４２から後方へ左右外方へ開くように延びる側縁４３とを有し、左側壁部材１２及び右側壁部材１３の上端部の高さに水平に保持されるように、後部の左右端部において左側壁部材１２及び右側壁部材１３に固定されている。切欠き３７は、三角板３６の後縁の中央部に形成されている。ローラ軸３８は、三角板３６より少し下の高さにおいて左側壁部材１２と右側壁部材１３との間を左右方向へ水平に延び、左右の両端部において回転自在に左側壁部材１２及び右側壁部材１３に軸支されている。３個のローラ３９は、切欠き３７の内側にローラ軸３８の軸方向へ並んで配置され、ローラ軸３８に回転方向へ一体に取り付けられ、上部を部分的に三角板３６の上方へ突出させている。天井カバー３０の下方揺動位置は、ローラ３９への天井カバー３０により制限され、ホルダ本体１１の上側開口を閉じた位置（以下、適宜、「閉じ位置」という。）になる。天井側突起部材３１の左右方向内側の側縁（＝天井カバー３０の閉じ位置において、天井側突起部材３１の上端側の側縁）は、天井カバー３０が下側揺動位置にあるとき、三角板３６の左右の側縁４３との間の所定の間隙を空けてかつ左右側縁４３に沿って延びるものとなる。天井側突起部材３１の左右方向外側の側縁（＝天井カバー３０の閉じ位置において、天井側突起部材３１の下端側の側縁）は、天井カバー３０がホルダ本体１１を閉じた揺動位置において、三角板３６より所定量低い位置となる。側板側押し下げ突起４５は、前後方向へ頂点４２を含む範囲にわたり延び、かつ閉じ位置の天井カバー３０の下面の天井側突起部材３１の下端とほぼ同じ高さとなるように、左側壁部材１２及び右側壁部材１３の内壁に固定され、上方から見て内方へ凸の湾曲状に突出している。図１に説明されている側板側押し下げ突起４５の断面図は、左側の側板側押し下げ突起４５を前方から後方へ見た垂直横断面図である。
【００３４】
天井側突起部材３１及び側板側押し下げ突起４５の一方を省略してもよい。側板側押し下げ突起４５のみが設けられた場合には、側板側押し下げ突起４５の高さは、天井側突起部材３１及び側板側押し下げ突起４５の両方が設けられた場合により少し上げられ、三角板３６より少し低い高さとされる。
【００３５】
水平板部材５０は、ホルダ本体１１の前端部において左右方向水平に延び、三角板３６とほぼ同じか少し低い高さとされ、頂点４２と左右の端部において左側壁部材１２及び右側壁部材１３に固定されている。鋸刃部５１は、水平板部材５０の前縁部に鋸歯状に形成されている。
【００３６】
図２はノブ２７が長孔２６の後端位置にある状態でトイレットペーパホルダ１０における先端ペーパ部分５５の位置を、天井カバー３０を透視させて、示している。後述の図６で説明するように、先端ペーパ部分５５は、ユーザの手６３により摘ままれて、適当量、前方へ引き出されてから、後端において直線状に鋸刃部５１により幅方向へ直線的に切断される。切断により残った方のトイレットペーパ２０の先端は水平板部材５０に載っている。この状態から、ユーザがノブ２７を長孔２６の前端位置から後端位置へ移動させると、これに伴い、ローラ３９が回転する。トイレットペーパ２０は、ローラ３９と天井カバー３０の下面との間に適当に摩擦接触された状態にあるので、ノブ２７の後方移動に伴うローラ３９の回転に伴い、トイレットペーパ２０はローラ３９との摩擦により後方へ移動させられる。そして、先端ペーパ部分５５の前端は、例えば、図２に示されているように、頂点４２より少し後方の位置となる。先端ペーパ部分５５は、三角板３６に載置されている三角ペーパ部５６と、三角板３６から側縁４３からはみ出る左右の垂れペーパ部５７とを有している。図２では、垂れペーパ部５７は、三角板３６から外方へ斜めに下がっているが、水平板部材５０からの先端ペーパ部分５５の後退の際、天井側突起部材３１及び側板側押し下げ突起４５（図１）が、水平板部材５０の上面側の所定の部位に当接し、該部位を下方へ押しやり、ほぼ垂直に垂れ下がることもあり得る。
【００３７】
図３はノブ２７を図２の位置から所定量前方へ移動させたときのトイレットペーパホルダ１０における先端ペーパ部分５５の状態を、天井カバー３０を透視させて、示している。ノブ２７の前方移動に伴い、ローラ３９がノブ２７の後方移動時とは逆方向へ回転し、先端ペーパ部分５５は前進する。この前進の際、三角板３６の側縁４３からはみ出た三角ペーパ部５６の部分が天井側突起部材３１及び側板側押し下げ突起４５により上面側を下方へ押しやられるように案内され、垂直に近い傾斜角で垂れる左右の垂れペーパ部５７と、左右の垂れペーパ部５７の間にあって三角板３６とほぽ同じ高さを維持する三角ペーパ部５６とが先端ペーパ部分５５に形成される。このとき、垂れペーパ部５７の下端は水平板部材５０の下端より低い位置となっている。なお、先端ペーパ部分５５をローラ３９により前進させる過程において、三角板３６の後端とロール部２１との間のトイレットペーパ２０の弛みが喪失してからは、ロール部２１は突出軸部材１５の周りに回転し、ロール部２１からトイレットペーパ２０が上方へ繰り出されて行く。また、天井カバー３０の閉じ位置では、天井カバー３０の下面側と三角ペーパ部５６との間にトイレットペーパ２０が通過する上下方向間隙が保持される。１対の天井側突起部材３１は、つぼみ側の端（前端側の端）においてトイレットペーパホルダ１０の幅方向へ離れており、結果、三角板３６の幅方向中央部を前進するトイレットペーパ２０は、天井側突起部材３１からの下方への押し込みを回避される。
【００３８】
図４及び図５はノブ２７を長孔２６の前端位置まで移動させたときのトイレットペーパホルダ１０における先端ペーパ部分５５の状態を、それぞれ天井カバー３０を透視及び非透視として、示している。トイレットペーパ取出し口６０は、下側揺動位置のある天井カバー３０の前端部により上辺を画定され、水平板部材５０の上面により下辺を画定され、左右の側辺を左側壁部材１２及び右側壁部材１３の内壁面により画定され、左右方向へ長いスリット状に形成されている。ノブ２７を図３の位置よりさらに前進させると、先端ペーパ部分５５の先端は水平板部材５０の後端部を前方へ通過することになり、その際、垂れペーパ部５７は、水平板部材５０の後端への当接に伴い、三角ペーパ部５６の下面側へ折り畳まれ、三角折り部５８が先端ペーパ部分５５に形成される。ノブ２７が長孔２６のほぼ前端位置になると、三角折り部５８は、トイレットペーパ取出し口６０から所定量、露出する。後述するように、ノブ２７の後方ストローク量と前方ストローク量とは共に長孔２６の長さに等しいが、先端ペーパ部分５５を後退させる量よりも、前進させる量が大きくなるように、ノブ２７の後方ストローク及び前方ストロークに対するローラ３９への伝達変位量の比が設定され、結果、後退量と前進量との差分に相当する量だけ、三角折り部５８はトイレットペーパ取出し口６０から前方へ突出することになる。
【００３９】
図６は図５における先端ペーパ部分５５の状態からユーザが三角折り部５８を摘まんで引き出している状態を示している。先端ペーパ部分５５より後ろのトイレットペーパ２０では、前進に伴い、天井側突起部材３１及び側板側押し下げ突起４５により少し下方へ押しやられるものの、水平板部材５０の存在により、天井側突起部材３１及び側板側押し下げ突起４５の通過後は、すぐに水平板部材５０の高さに復帰し、すなわちほとんど垂れ下がることなく、全体としてのほぼ三角板３６の高さに保持されつつ、トイレットペーパ取出し口６０から外へ出て来る。ユーザは、手６３を伸ばして、指で三角折り部５８を摘まんで、トイレットペーパ２０を所望量、引き出す。その後、ユーザは先端ペーパ部分５５を下方へ下げて、鋸刃部５１に沿わせて、トイレットペーパ２０をねじるようにして、鋸刃部５１によって、トイレットペーパ２０を切断する。
【００４０】
図７及び図８はノブ２７の後退中及び前進中の状態におけるノブ２７とローラ軸３８との間の動力伝達機構の構成図である。この動力伝達機構は右側壁部材１３内に配設される。図７及び図８では、動力伝達機構をノブ２７側から見ている。図７のＡ１はノブ２７の後退方向であり、図８のＢ１はノブ２７の前進方向である。案内支持棒６７は、右側壁部材１３の前後方向へ水平に延び、前後方向両端部において支持具６８により支持されている。支持具６８は、右側壁部材１３に固定され、ラック部材６６のストッパとしての役目も果たす。ラック部材６６は、案内支持棒６７に沿って移動自在に案内支持棒６７に支持され、ノブ２７に固定されている。ラック部材６６は、上面において手前側（右側壁部材１３の外壁側）のラック６９と奥側（右側壁部材１３の内壁側）のラック７０とを有している。ラック６９，７０は、前後方向へ水平に延び、ラック７０の方がラック６９より高くなるように、段違いに配設されている。ギヤ７４はギヤ７５より小径であり、ギヤ７４，７５は、それぞれ手前側及び奥側の関係でローラ軸３８の端部に別々の一方向クラッチ（図示せず）を介して取り付けられている。ギヤ７４用及びギヤ７５用の一方向クラッチはそれぞれ前進用および後退用の一方向クラッチである。前進用の一方向クラッチは、ローラ３９がトイレットペーパ２０を前進させる回転方向、すなわち図７及び図８における反時計方向の動力のみを伝達するものである。また、後退用の一方向クラッチは、ローラ３９がトイレットペーパ２０を後退させる回転方向、すなわち図７及び図８における時計方向の動力のみを伝達するものである。ピニオンアセンブリ８０は、ケース８１、及びピニオン８２，８３を有している。ピニオン８２，８３は、それぞれ後ろ側及び前側に配置され、ローラ軸３８の軸方向へはそれぞれラック６９，７０に等しい位置にある。案内用長孔８４は、後方へ高さが上昇して延びるように、ケース８１の左右側壁に形成され、ピニオン８２のピニオン軸８６を回転自在にしつつ、案内用長孔８４に沿ってピニオン軸８６を案内する。案内用長孔８５は、前方へ高さが上昇して延びるように、ケース８１の左右側壁に形成され、ピニオン８３のピニオン軸８７を回転自在にしつつ、案内用長孔８５に沿ってピニオン軸８７を案内する。
【００４１】
ノブ２７をＡ１方向へ移動させると、ラック部材６６もＡ１方向へ移動する。ラック部材６６の静止時では、ピニオン８２，８３は、共に、重力によりラック６９，７０への接触位置まで下降しているが、ラック７０がＡ１方向へ移動すると、ピニオン８３は、ラック７０によりＡ１方向へ連行されて、ピニオン軸８７が案内用長孔８５内の後端の下端位置の方へ移動し、ピニオン８３は、ラック７０及びギヤ７５へ深くかみ合い、ラック７０−ギヤ７５間の動力伝達をできる状態になる。一方、ピニオン８２は、ラック６９によりＡ１方向へ連行されると、ピニオン軸８６が案内用長孔８４内の後端の上端位置の方へ移動し、ピニオン８３は、ラック６９から浮き上がり、ラック６９−ギヤ７４間の動力伝達が不能の状態になる。こうして、Ａ１方向へのラック部材６６の移動に伴い、ピニオン８３がＡ２方向へ回転し、ギヤ７５はピニオン８３によりＡ３方向へ回転駆動され、ギヤ７５の回転は、ギヤ７５の内周側とローラ軸３８との間にある一方向クラッチ（図示せず）を介してローラ軸３８へ伝達され、ローラ軸３８はＡ３方向へ回転する。Ａ３方向へのローラ軸３８の回転は、ローラ３９がトイレットペーパ２０を後退させる方向の回転になる。
【００４２】
ノブ２７をＢ１方向へ移動させると、ラック部材６６もＢ１方向へ移動する。ラック６９がＢ１方向へ移動すると、ピニオン８２は、ラック７０によりＢ１方向へ連行されて、ピニオン軸８６が案内用長孔８４内の前端の下端位置の方へ移動し、ピニオン８２は、ラック６９及びギヤ７４へ深くかみ合い、ラック６９−ギヤ７４間の動力伝達をできる状態になる。一方、ピニオン８３は、ラック７０によりＢ１方向へ連行されると、ピニオン軸８７が案内用長孔８５内の前端の上端位置の方へ移動し、ピニオン８３は、ラック７０から浮き上がり、ラック７０−７三角ペーパ部５６間の動力伝達が不能の状態になる。こうして、Ｂ１方向へのラック部材６６の移動に伴い、ピニオン８２がＢ２方向へ回転し、ギヤ７４はピニオン８２によりＢ３方向へ回転駆動され、ギヤ７４の回転は、ギヤ７４の内周側とローラ軸３８との間にある一方向クラッチ（図示せず）を介してローラ軸３８へ伝達され、ローラ軸３８はＢ３方向へ回転する。Ｂ３方向へのローラ軸３８の回転は、ローラ３９がトイレットペーパ２０を前進させる方向の回転になる。
【００４３】
Ａ１方向及びＢ１方向のノブ２７のストローク量は互いに等しいが、ピニオン８３及びギヤ７５の歯数比とピニオン８２及びギヤ７４の歯数比の差のために、ローラ３９がトイレットペーパ２０を前進させる長さは後退させる長さより大となる。したがって、Ａ１方向のストローク量とＢ１方向のストローク量は同一にもかかわらず、ローラ３９の回転数は、トイレットペーパ２０の前進時に後退時よりも多く回転し、トイレットペーパ２０の前端は、後退開始時より前進終了時の方が前方に来る。
【００４４】
図９はラック部材６６の別の往復駆動機構の構成図である。図９の構成要素において、図８のものと同一のものは同符号で指示して、説明は省略し、相違点について述べる。被駆動ラック９１は、ラック部材６６の下面に形成され、案内支持棒６７に沿って延びている。なお、図９の機構では、ラック部材６６が水平姿勢を保持するために、案内支持棒６７は、丸棒ではなく、角型横断面が好ましい。緩衝ゴム９２は、前側の支持具６８に固着されるか、ラック部材６６の前端面に固着されるか、あるいは前側の支持具６８とラック部材６６との間において案内支持棒６７に単に嵌装されているかされる。引張ばね９３は、右側壁部材１３に固定されているばね座９４と、ラック部材６６の後端部に固設されるばね座９５とに両端を掛けられ、ラック部材６６を前方へ付勢している。駆動側ピニオン９９は、右側壁部材１３に回転自在に軸支される軸１００と一体回転する。駆動側ピニオン９９の周辺部は歯付き区分１０１と歯無し区分１０２とから成る。ハンドル１０３は、ノブ２７の代わりに右側壁部材１３の外壁面の外に配置され、軸１００と一体回転する。
【００４５】
ラック部材６６が前端位置にあるとき、歯付き区分１０１は、Ｃ方向の前端位置の歯部において、被駆動ラック９１の後端位置の歯部とかみ合っている。ユーザが、ハンドル１０３を、把持しつつ、Ｃ方向へ回転すると、被駆動ラック９１と歯付き区分１０１とのかみ合いにより、被駆動ラック９１はＡ１方向、すなわち後方へ引張ばね９３の付勢力に抗して移動する。ラック部材６６の後端が後ろ側の支持具６８に近づくと、歯付き区分１０１の代わりに歯無し区分１０２が被駆動ラック９１側に面する状態になるので、被駆動ラック９１は歯付き区分１０１とのかみ合いを解除され、ラック部材６６は、引張ばね９３の付勢力に従い、前進する。緩衝ゴム９２は、ラック部材６６が引張ばね９３の付勢力により前側の支持具６８に衝突する際の衝突力を緩和する。
【００４６】
図１０はラック部材１２２からローラ軸３８までの別の動力伝達機構の斜視図である。図７の回転駆動機構の要素と同一の要素は同符号で指示して、説明は省略し、相違点についてのみ説明する。図１０では、該動力伝達機構は右側壁部材１３の内側でかつ右側壁部材１３の前方から斜めに見ている。該動力伝達機構は右側壁部材１３内に配設される。被駆動側プーリ１０７，１０８は、ローラ軸３８の右端部においてそれぞれ内側及び外側の関係で配置され、内周側において一方向クラッチ（図示せず）を介してローラ軸３８に装着されている。中間軸１１１は、ローラ軸３８と平行にかつ回転自在に右側壁部材１３に軸支されている。駆動側プーリ１１２，１１３は、トイレットペーパホルダ１０の前方から見てそれぞれ左側及び右側の関係で配置され、内周側において一方向クラッチ（図示せず）を介して中間軸１１１に嵌装されている。被駆動側ギヤ１１４は、駆動側プーリ１１２の左側に配置され、中間軸に回転方向へ一体に取り付けられている。ベルト１１７は駆動側プーリ１１２及び被駆動側プーリ１０７に装架され、ベルト１１８は駆動側プーリ１１３及び被駆動側プーリ１０８に装架される。被駆動側プーリ１０７の内周側の一方向クラッチ及び駆動側プーリ１１２の内周側の一方向クラッチは、共に後退用の一方向クラッチであり、ローラ３９がトイレットペーパ２０を後退させる回転方向の回転のみを中間軸１１１からローラ軸３８へ伝達する。被駆動側プーリ１０８の内周側の一方向クラッチ及び駆動側プーリ１１３の内周側の一方向クラッチは、共に前進用の一方向クラッチであり、ローラ３９がトイレットペーパ２０を前進させる回転方向の回転のみを中間軸１１１からローラ軸３８へ伝達する。ラック部材１２２は、案内支持棒６７に沿って移動自在に案内支持棒６７に支持され、上面にラック１２４を有している。ピニオン１２５は、右側壁部材１３に回転自在に軸支され、上下においてそれぞれ中間軸１１１及びラック１２４にかみ合い、ラック１２４の直線運動を回転運動へ変換して、中間軸１１１へ伝達する。
【００４７】
（駆動側プーリ１１２の径）／（被駆動側プーリ１０７の径）を後退時の減速比、（駆動側プーリ１１３の径）／（被駆動側プーリ１０８の径）を前進時の減速比とすると、後退時の減速比＞前進時の減速比に設定されている。
【００４８】
図１１は図１０のローラ軸３８の動力伝達機構と共にラック部材１２２の駆動機構を含む駆動装置全体の構成図である。図１１の駆動装置は、右側壁部材１３の外壁側から見ている。ころ１２８はカム軸１３０の周りに回転自在に右側壁部材１３に軸支されている。ころ１２８は、ラック部材１２２から後方へ所定量張り出した位置に回転自在に軸支され、案内支持棒６７の延び方向へラック部材１２２と一体運動する。図示していない付勢手段は、ラック部材１２２を後方へ付勢し、ころ１２８は円形偏心カム１２９の周面への接触を保持される。押しボタンスイッチ１３５は、右側壁部材１３の上面の前端部に配置され、ユーザに押圧操作され、押圧時ではオンとなり、非押圧時ではオフとなる。押しボタンスイッチ１３５、モータ１３６及び電池１３７は１個のループ回路を構成し、押しボタンスイッチ１３５のオン時では、モータ１３６は、電池１３７から電力を供給され、出力軸（図示せず）を回転する作動状態になる。この駆動装置では、モータ１３６の電源として電池１３７を利用しているが、家庭の商用電源を利用してもよい。その場合は、電池１３７が省略され、コードがトイレットペーパホルダ１０から電源コンセントまで延ばされ、押しボタンスイッチ１３５のオン時では、交流電力がモータ１３６へ供給されることになる。鉛直軸１４０は、上下方向へ延び、支持ブラケット１４１により回転自在に右側壁部材１３に軸支され、モータ１３６の出力軸へ傘歯車を介して接続され、モータ１３６の作動時では、回転状態になる。駆動側傘歯車１４２は、鉛直軸１４０の上端部に固定され、被駆動側傘歯車１４５にかみ合っている。被駆動側傘歯車１４５はカム軸１３０と一体的に回転する。
【００４９】
ユーザは、トイレットペーパホルダ１０のトイレットペーパ取出し口６０（図５）からトイレットペーパ２０の三角折り部５８を出させるときは、押しボタンスイッチ１３５を押す。これにより、モータ１３６が作動し、円形偏心カム１２９がＣ方向へ回転する。円形偏心カム１２９は、回転開始時、カム軸１３０に対して前方へ最大突出量の回転位置にあり、その後、前方への円形偏心カム１２９の突出量は、円形偏心カム１２９の回転に伴い、漸減し、円形偏心カム１２９は、半回転すると、最小突出量の回転位置になる。これにより、ラック部材１２２は、前端位置から後端位置へ後退し、ピニオン１２５は図１１の反時計方向へ回転し、中間軸１１１は図１１の時計方向へ回転する。この回転方向では、ローラ軸３８の外周側に存在する前進用及び後退用の一方向クラッチはそれぞれ断状態及び接状態になり、動力が被駆動側ギヤ１１４、ベルト１１７及び被駆動側プーリ１０７を経てローラ軸３８へ伝達される。ラック部材１２２の後端位置では、先端ペーパ部分５５は図２の状態になっている。
【００５０】
円形偏心カム１２９がさらに回転を続けると、円形偏心カム１２９は、カム軸１３０に対して前方へ最小突出量の回転位置から、前方への円形偏心カム１２９の突出量を漸増し、半回転後は、最大突出量の回転位置になる。これにより、ラック部材１２２は、後端位置から前端位置へ前進し、ピニオン１２５は図１１の時計方向へ回転し、中間軸１１１は図１１の反時計方向へ回転する。この回転方向では、ローラ軸３８の外周側に存在する前進用及び後退用の一方向クラッチはそれぞれ接状態及び断状態になり、動力が駆動側プーリ１１３、ベルト１１８及び被駆動側プーリ１０８を経てローラ軸３８へ伝達される。ラック部材１２２の前端位置では、先端ペーパ部分５５は図５の状態になっている。
【００５１】
図１１の駆動装置では、ユーザは、トイレットペーパ２０の三角折り部５８がトイレットペーパ取出し口６０から出て来るまで、押しボタンスイッチ１３５を押し続けることになるが、ラック部材１２２が前端位置にあるか否かを検出する位置検出スイッチを追加することもできる。位置検出スイッチは、ラック部材１２２が前端位置にあるときはオフ、前端位置以外のときはオンになるものであり、該位置検出スイッチと押しボタンスイッチ１３５とをモータ１３６の給電回路に並列に設ける。そして、ユーザが押しボタンスイッチ１３５をオンにすると、モータ１３６が作動して、ラック部材１２２が前端位置から外れて、位置検出スイッチがオンになって、モータ１３６は位置検出スイッチを介して電力を供給され、したがって、ユーザは、モータ１３６が作動開始するや、押しボタンスイッチ１３５の押圧を解除できる。そして、ラック部材１２２が前端位置に戻ると、位置検出スイッチがオフになり、これにより、位置検出スイッチ及び押しボタンスイッチ１３５が共にオフになるので、モータ１３６は停止する。
【００５２】
図１２及び図１３はラック部材１２２がそれぞれ前端位置及び後端位置にあるときの状態で示すローラ３９の別の駆動装置の構成図である。該駆動装置では、図１１の円形偏心カム１２９の代わりに図９の駆動側ピニオン９９が用いられる。図１２及び図１３において図９及び図１１の要素と同一の要素は同符号で指示して、それらの説明は省略する。駆動側ピニオン９９は、図９の駆動装置では、ハンドル１０３により駆動されるが、図１２及び図１３のものでは、ハンドル１０３により駆動されてもよいし、図１１のモータ１３６により駆動されてもよい。モータ１３６により駆動側ピニオン９９を駆動する場合には、図１１の被駆動側傘歯車１４５の軸を図１２及び図１３の駆動側ピニオン９９の軸１００にする。
【００５３】
図１４及び図１５はラック部材１２２がそれぞれ前端位置及び後端位置にあるときの状態で示すラック部材１２２の別の往復動機構の構成図である。図１４及び図１５において図９におけるラック部材１２２の往復動機構の要素と同一の要素は同符号で指示して、それらの説明は省略する。双腕レバー１５０は、右側壁部材１３に回転自在に軸支される支軸１５１を備えている。溝１５２は、双腕レバー１５０のラック部材１２２側の腕部に形成され、円形突起１５３は、ラック部材１２２の側部に固設され、溝１５２に沿って移動自在に溝１５２内に挿入されている。ころ１５４は、双腕レバー１５０のカム１６０側の端部に回転自在に取り付けられている。カム１６０は、右側壁部材１３に回転自在に軸支されるカム軸１６１を備え、線対称の形状を有している。双腕レバー１５０は、ころ１５４がカム１６０の周部との接触状態に保持される回転方向へ所定の付勢手段（例：引張ばね）により付勢されている。カム１６０は、図９の駆動側ピニオン９９と同様に、ハンドル１０３により回転駆動されてもよいし、図１１の円形偏心カム１２９と同様に、モータ１３６により駆動されてもよい。
【００５４】
カム１６０の上端位置が最高高さにあるとき（図１４）、双腕レバー１５０は、円形突起１５３を溝１５２により最前方の位置へ移動させた揺動位置にあり、ラック部材１２２は前端位置にある。カム１６０が図４の回転位置からＣ方向へ回転すると、ころ１５４は、徐々に高さを下降し、カム１６０の半回転により、最低高さになる。ころ１５４の最低高さでは、双腕レバー１５０は、円形突起１５３を溝１５２により最後方の位置へ移動させ、これにより、ラック部材１２２は、後方へ移動し、後端位置になる（図１５）。カム１６０の次の半回転では、ころ１５４は、高さを上昇させ、ラック部材１２２は前進する。
【図面の簡単な説明】
【００５５】
【図１】天井カバーを開いた状態におけるトイレットペーパホルダの斜視図である。
【図２】ノブが長孔の後端位置にある状態でトイレットペーパホルダにおける先端ペーパ部分の位置を、天井カバーを透視させて、示す図である。
【図３】ノブを図２の位置から所定量前方へ移動させたときのトイレットペーパホルダにおける先端ペーパ部分の状態を、天井カバーを透視させて、示す図である。
【図４】ノブを長孔の前端位置まで移動させたときのトイレットペーパホルダにおける先端ペーパ部分の状態を、天井カバーを透視して、示す図である。
【図５】ノブを長孔の前端位置まで移動させたときのトイレットペーパホルダにおける先端ペーパ部分の状態を、天井カバーを非透視にして、示す図である。
【図６】図５における先端ペーパ部分の状態からユーザが三角折り部を摘まんで引き出している状態を示す図である。
【図７】ノブの後退中状態におけるノブとローラ軸との間の動力伝達機構の構成図である。
【図８】ノブの前進中の状態におけるノブとローラ軸との間の動力伝達機構の構成図である。
【図９】ラック部材の別の往復駆動機構の構成図である。
【図１０】ラック部材からローラ軸までの別の動力伝達機構の斜視図である。
【図１１】図１０のローラ軸の動力伝達機構と共にラック部材の駆動機構を含む駆動装置全体の構成図である。
【図１２】ラック部材が前端位置にあるときの状態で示すローラの別の駆動装置の構成図である。
【図１３】ラック部材が後端位置にあるときの状態で示すローラの別の駆動装置の構成図である。
【図１４】ラック部材が前端位置にあるときの状態で示すラック部材の別の往復動機構の構成図である。
【図１５】ラック部材が後端位置にあるときの状態で示すラック部材の別の往復動機構の構成図である。
【符号の説明】
【００５６】
１０：トイレットペーパホルダ、１１：ホルダ本体１１、２０：トイレットペーパ、２１：ロール部、３１：天井側突起部材（押し下げ部材）、３６：三角板（三角面部付き部材）、３９：ローラ（ペーパ駆動部材）、４２：頂点（三角面部の頂点）、４３：側縁、４５：側板側押し下げ突起（押し下げ部材）、５０：水平板部材（下辺画定部材）、５１：鋸刃部（切断部材）、５６：三角ペーパ部、５７：垂れペーパ部、６０：トイレットペーパ取出し口（出口）、６６：ラック部材（直線移動部材）、６９：：ラック（第１のラック）、７０：ラック（第２のラック）、７４：ギヤ（第１の運動伝達機構）、７５：ギヤ（第２の運動伝達機構）、８２：：ピニオン（第１の運動伝達機構）、８２：：ピニオン（第１のピニオン）、８３：：ピニオン（第２の運動伝達機構、第２のピニオン）、９１：被駆動ラック（被駆動用ラック）、９９：駆動側ピニオン（駆動用ピニオン）、１０１：歯付き区分、１０２：歯無し区分、９３：引張ばね（付勢手段）、１０７：被駆動側プーリ（第２の運動伝達機構）、１０８：被駆動側プーリ（第１の運動伝達機構）、１１２：駆動側プーリ（第２の運動伝達機構）、１１３：駆動側プーリ（第１の運動伝達機構）、１１７：ベルト（第２の運動伝達機構）、１１８：ベルト（第１の運動伝達機構）、１２２：ラック部材（直線移動部材）、１２４：ラック（駆動用ラック）、１２５：ピニオン（共通のピニオン）、１３５：押しボタンスイッチ（スイッチ）、１２９：円形偏心カム、１３６：モータ、１６０：カム。
【図１】
2006006786.tif 000003
【図２】
2006006786.tif 000004
【図３】
2006006786.tif 000005
【図４】
2006006786.tif 000006
【図５】
2006006786.tif 000007
【図６】
2006006786.tif 000008
【図７】
2006006786.tif 000009
【図８】
2006006786.tif 000010
【図９】
2006006786.tif 000011
【図１０】
2006006786.tif 000012
【図１１】
2006006786.tif 000013
【図１２】
2006006786.tif 000014
【図１３】
2006006786.tif 000015
【図１４】
2006006786.tif 000016
【図１５】
2006006786.tif 000017